(57)【要約】【課題】簡易に通信ネットワークに追加接続された情報機器による情報伝送を可能とした「伝送システム、情報機器、情報伝送方法及び情報伝送プログラム」を提供する。【解決手段】追加ソース機器１０は、オーディオディスクプレイ２４からＭＯＳＴコネクションマスタ２３へのアロケーション結果と、車両組込みＡＭＰ３０からＭＯＳＴコネクションマスタ２３へのコネクション結果とを取得し、これらに基づいて、オーディオディスクプレイ２４から車両組込みＡＭＰ３０へのデジタル音声データの伝送に利用される通信チャネルを特定する。更に、追加ソース機器１０は、特定した通信チャネルを利用して、自身が送信すべきデジタル音声データを車両組込みＡＭＰ３０へ伝送する。【選択図】図１
2008182407.tif 000002
【特許請求の範囲】
【請求項１】
通信ネットワークにおける情報伝送を管理する伝送管理装置と、前記通信ネットワークに接続された第１、第２及び第３の情報機器とにより構成される伝送システムであって、
前記伝送管理装置は、
前記通信ネットワークを介して前記第１の情報機器に対して、該第１の情報機器が情報伝送に利用する通信チャネルの識別情報の要求を送信する第１の要求送信手段と、
前記通信ネットワークを介して前記第２の情報機器に対して、該第２の情報機器が情報伝送に利用する通信チャネルの識別情報の要求を送信する第２の要求送信手段とを有し、
前記第１の情報機器は、
前記伝送管理装置からの要求に応じて、前記通信ネットワークを介して前記伝送管理装置に対して、前記第１の情報機器が情報伝送に利用する通信チャネルの識別情報を送信する第１の識別情報送信手段を有し、
前記第２の情報機器は、
前記伝送管理装置からの要求に応じて、前記通信ネットワークを介して前記伝送管理装置に対して、前記第２の情報機器が情報伝送に利用する通信チャネルの識別情報を送信する第２の識別情報送信手段を有し、
前記第３の情報機器は、
前記通信ネットワークを介して前記第１の情報機器から前記伝送管理装置へ送られる、前記第１の情報機器が情報伝送に利用する通信チャネルの識別情報を取得する第１の識別情報取得手段と、
前記通信ネットワークを介して前記第２の情報機器から前記伝送管理装置へ送られる、前記第２の情報機器が情報伝送に利用する通信チャネルの識別情報を取得する第２の識別情報取得手段と、
前記第１の識別情報取得手段により取得された、前記第１の情報機器が情報伝送に利用する通信チャネルの識別情報と、前記第２の識別情報取得手段により取得された、前記第２の情報機器が情報伝送に利用する通信チャネルの識別情報とに基づいて、前記第１の情報機器から前記第２の情報機器への情報伝送に利用される通信チャネルを特定する通信チャネル特定手段と、
前記第３の情報機器が送信すべき所定の情報を、前記通信チャネル特定手段により特定された通信チャネルを利用して、前記通信ネットワークを介して前記第３の情報機器へ伝送する伝送手段とを有することを特徴とする伝送システム。
【請求項２】
前記伝送手段は、
前記通信ネットワークを伝送される情報を受信する伝送情報受信手段と、
前記伝送情報受信手段により受信された情報のうち、前記通信チャネル特定手段により特定された通信チャネルを利用して伝送された情報を、前記所定の情報に置き換える伝送情報置換手段と、
前記伝送情報置換手段により置き換えられた所定の情報を、前記通信チャネル特定手段により特定された通信チャネルを利用して、前記通信ネットワークを介して前記第２の情報機器へ送信する伝送情報送信手段とを有することを特徴とする請求項１に記載の伝送システム。
【請求項３】
通信ネットワークに接続され、情報を伝送する情報機器であって、
前記通信ネットワークを介して第１の他の情報機器から前記通信ネットワークにおける情報伝送を管理する伝送管理装置へ送られる、前記第１の他の情報機器が情報伝送に利用する通信チャネルの識別情報を取得する第１の識別情報取得手段と、
前記通信ネットワークを介して第２の他の情報機器から前記伝送管理装置へ送られる、前記第２の他の情報機器が情報伝送に利用する通信チャネルの識別情報を取得する第２の識別情報取得手段と、
前記第１の識別情報取得手段により取得された、前記第１の他の情報機器が情報伝送に利用する通信チャネルの識別情報と、前記第２の識別情報取得手段により取得された、前記第２の他の情報機器が情報伝送に利用する通信チャネルの識別情報とに基づいて、前記第１の他の情報機器から前記第２の他の情報機器への情報伝送に利用される通信チャネルを特定する通信チャネル特定手段と、
前記情報機器が送信すべき所定の情報を、前記通信チャネル特定手段により特定された通信チャネルを利用して、前記通信ネットワークを介して前記第２の他の情報機器へ伝送する伝送手段とを有することを特徴とする情報機器。
【請求項４】
前記伝送手段は、
前記通信ネットワークを伝送される情報を受信する伝送情報受信手段と、
前記伝送情報受信手段により受信された情報のうち、前記通信チャネル特定手段により特定された通信チャネルを利用して伝送された情報を、前記所定の情報に置き換える伝送情報置換手段と、
前記伝送情報置換手段により置き換えられた所定の情報を、前記通信チャネル特定手段により特定された通信チャネルを利用して、前記通信ネットワークを介して前記第２の他の情報機器へ送信する伝送情報送信手段とを有することを特徴とする請求項３に記載の情報機器。
【請求項５】
前記通信ネットワークは、時分割多元接続方式を採用するものであり、
前記伝送情報置換手段は、前記伝送情報受信手段により受信された情報のうち、前記通信チャネル特定手段により特定された通信チャネルのタイミングで伝送された情報を、前記所定の情報に置き換え、
前記伝送情報送信手段は、前記伝送情報置換手段により置き換えられた所定の情報を、前記通信チャネル特定手段により特定された通信チャネルのタイミングで、前記通信ネットワークを介して前記第２の他の情報機器へ送信することを特徴とする請求項４に記載の情報機器。
【請求項６】
アナログ情報をデジタル情報に変換する変換手段を有し、
前記伝送情報置換手段は、前記伝送情報受信手段により受信された情報のうち、前記通信チャネル特定手段により特定された通信チャネルを利用して伝送された情報を、前記変換手段により得られたデジタル情報に置き換えることを特徴とする請求項４又は５に記載の情報機器。
【請求項７】
前記伝送情報受信手段は、前記第１の他の情報機器において情報を送信する送信手段と接続され、
前記伝送情報送信手段は、前記第２の他の情報機器において情報を受信する受信手段と接続されることを特徴とする請求項４乃至６のいずれかに記載の情報機器。
【請求項８】
前記第２の他の情報機器への情報伝送に通信チャネルを利用している第１の他の情報機器に関する情報を提示手段に提示させる提示制御手段と、
利用者による操作部の操作に応じて前記提示手段に提示された情報に対応する第１の他の情報機器を選択する選択手段とを有し、
前記通信チャネル特定手段は、前記選択手段により選択された第１の他の情報機器から前記第２の他の情報機器への情報伝送に利用される通信チャネルを特定することを特徴とする請求項３乃至７のいずれかに記載の情報機器。
【請求項９】
通信ネットワークに接続され、情報を伝送する情報機器における情報伝送方法であって、
前記通信ネットワークを介して第１の他の情報機器から前記通信ネットワークにおける情報伝送を管理する伝送管理装置へ送られる、前記第１の他の情報機器が情報伝送に利用する通信チャネルの識別情報を取得する第１の識別情報取得ステップと、
前記通信ネットワークを介して第２の他の情報機器から前記伝送管理装置へ送られる、前記第２の他の情報機器が情報伝送に利用する通信チャネルの識別情報を取得する第２の識別情報取得ステップと、
前記第１の識別情報取得ステップにより取得された、前記第１の他の情報機器が情報伝送に利用する通信チャネルの識別情報と、前記第２の識別情報取得ステップにより取得された、前記第２の他の情報機器が情報伝送に利用する通信チャネルの識別情報とに基づいて、前記第１の他の情報機器から前記第２の他の情報機器への情報伝送に利用される通信チャネルを特定する通信チャネル特定ステップと、
前記情報機器が送信すべき所定の情報を、前記通信チャネル特定ステップにより特定された通信チャネルを利用して、前記通信ネットワークを介して前記第２の他の情報機器へ伝送する伝送ステップとを有することを特徴とする情報伝送方法。
【請求項１０】
前記伝送ステップは、
前記通信ネットワークを伝送される情報を受信する伝送情報受信ステップと、
前記伝送情報受信ステップにより受信された情報のうち、前記通信チャネル特定ステップにより特定された通信チャネルを利用して伝送された情報を、前記所定の情報に置き換える伝送情報置換ステップと、
前記伝送情報置換ステップにより置き換えられた所定の情報を、前記通信チャネル特定ステップにより特定された通信チャネルを利用して、前記通信ネットワークを介して前記第２の他の情報機器へ送信する伝送情報送信ステップとを有することを特徴とする請求項９に記載の情報伝送方法。
【請求項１１】
通信ネットワークに接続され、情報を伝送する情報機器において実行される情報伝送プログラムであって、
前記通信ネットワークを介して第１の他の情報機器から前記通信ネットワークにおける情報伝送を管理する伝送管理装置へ送られる、前記第１の他の情報機器が情報伝送に利用する通信チャネルの識別情報を取得する第１の識別情報取得ステップと、
前記通信ネットワークを介して第２の他の情報機器から前記伝送管理装置へ送られる、前記第２の他の情報機器が情報伝送に利用する通信チャネルの識別情報を取得する第２の識別情報取得ステップと、
前記第１の識別情報取得ステップにより取得された、前記第１の他の情報機器が情報伝送に利用する通信チャネルの識別情報と、前記第２の識別情報取得ステップにより取得された、前記第２の他の情報機器が情報伝送に利用する通信チャネルの識別情報とに基づいて、前記第１の他の情報機器から前記第２の他の情報機器への情報伝送に利用される通信チャネルを特定する通信チャネル特定ステップと、
前記情報機器が送信すべき所定の情報を、前記通信チャネル特定ステップにより特定された通信チャネルを利用して、前記通信ネットワークを介して前記第２の他の情報機器へ伝送する伝送ステップとを有することを特徴とする情報伝送プログラム。
【請求項１２】
前記伝送ステップは、
前記通信ネットワークを伝送される情報を受信する伝送情報受信ステップと、
前記伝送情報受信ステップにより受信された情報のうち、前記通信チャネル特定ステップにより特定された通信チャネルを利用して伝送された情報を、前記所定の情報に置き換える伝送情報置換ステップと、
前記伝送情報置換ステップにより置き換えられた所定の情報を、前記通信チャネル特定ステップにより特定された通信チャネルを利用して、前記通信ネットワークを介して前記第２の他の情報機器へ送信する伝送情報送信ステップとを有することを特徴とする請求項１１に記載の情報伝送プログラム。
【発明の詳細な説明】
【技術分野】
【０００１】
本発明は、通信ネットワークに接続された複数の情報機器と、当該通信ネットワークにおける情報伝送を管理する伝送管理装置とにより構成される伝送システム、当該伝送システムにおける情報機器、当該情報機器における情報伝送方法、及び、当該情報機器において実行される情報伝送プログラムに関する。
【背景技術】
【０００２】
各種の情報機器を接続し、これら情報機器からの情報を統括的に伝送するシステムが提案されている（例えば、特許文献１参照）。車両に搭載される通信ネットワークである、ＭＯＳＴ（Media Oriented Systems Transport）ネットワークもその１つである。このＭＯＳＴネットワークでは、時分割多元接続（ＴＤＭＡ）方式が採用され、ＣＤプレイヤ等の情報機器とアンプ等の情報機器とに通信チャネルが割り当てられ、これら情報機器間の情報伝送が可能となる。
【特許文献１】特開２００１−１８６１５８号公報
【発明の開示】
【発明が解決しようとする課題】
【０００３】
しかしながら、ＭＯＳＴネットワークでは、運用開始後に新たな情報機器が追加された場合に、その追加された情報機器による情報伝送を可能とするためには、ＭＯＳＴネットワーク全体の設計変更という煩雑な作業が必要であった。
【０００４】
本発明の目的は、上述した問題を解決するものであり、簡易に通信ネットワークに追加接続された情報機器による情報伝送を可能とした伝送システム、情報機器、情報伝送方法及び情報伝送プログラムを提供するものである。
【課題を解決するための手段】
【０００５】
本発明に係る、通信ネットワークにおける情報伝送を管理する伝送管理装置と、前記通信ネットワークに接続された第１、第２及び第３の情報機器とにより構成される伝送システムは、前記伝送管理装置が、前記通信ネットワークを介して前記第１の情報機器に対して、該第１の情報機器が情報伝送に利用する通信チャネルの識別情報の要求を送信する第１の要求送信手段と、前記通信ネットワークを介して前記第２の情報機器に対して、該第２の情報機器が情報伝送に利用する通信チャネルの識別情報の要求を送信する第２の要求送信手段とを有し、前記第１の情報機器が、前記伝送管理装置からの要求に応じて、前記通信ネットワークを介して前記伝送管理装置に対して、前記第１の情報機器が情報伝送に利用する通信チャネルの識別情報を送信する第１の識別情報送信手段を有し、前記第２の情報機器が、前記伝送管理装置からの要求に応じて、前記通信ネットワークを介して前記伝送管理装置に対して、前記第２の情報機器が情報伝送に利用する通信チャネルの識別情報を送信する第２の識別情報送信手段を有し、前記第３の情報機器が、前記通信ネットワークを介して前記第１の情報機器から前記伝送管理装置へ送られる、前記第１の情報機器が情報伝送に利用する通信チャネルの識別情報を取得する第１の識別情報取得手段と、前記通信ネットワークを介して前記第２の情報機器から前記伝送管理装置へ送られる、前記第２の情報機器が情報伝送に利用する通信チャネルの識別情報を取得する第２の識別情報取得手段と、前記第１の識別情報取得手段により取得された、前記第１の情報機器が情報伝送に利用する通信チャネルの識別情報と、前記第２の識別情報取得手段により取得された、前記第２の情報機器が情報伝送に利用する通信チャネルの識別情報とに基づいて、前記第１の情報機器から前記第２の情報機器への情報伝送に利用される通信チャネルを特定する通信チャネル特定手段と、前記第３の情報機器が送信すべき所定の情報を、前記通信チャネル特定手段により特定された通信チャネルを利用して、前記通信ネットワークを介して前記第３の情報機器へ伝送する伝送手段とを有することを特徴とする。
【０００６】
この構成によれば、第３の情報機器は、第１の情報機器から第２の情報機器への情報伝送に利用される通信チャネルを特定した上で、その通信チャネルを用いて自身が送信すべき所定の情報を第２の情報機器へ伝送させることができる。従って、第３の情報機器が通信ネットワークに追加接続された場合に、通信ネットワーク全体の設計変更を行う必要はなく、簡易に通信ネットワークに追加接続された情報機器による情報伝送が可能となる。
【０００７】
同様の観点から、本発明の伝送システムは、前記伝送手段が、前記通信ネットワークを伝送される情報を受信する伝送情報受信手段と、前記伝送情報受信手段により受信された情報のうち、前記通信チャネル特定手段により特定された通信チャネルを利用して伝送された情報を、前記所定の情報に置き換える伝送情報置換手段と、前記伝送情報置換手段により置き換えられた所定の情報を、前記通信チャネル特定手段により特定された通信チャネルを利用して、前記通信ネットワークを介して前記第２の情報機器へ送信する伝送情報送信手段とを有するようにしてもよい。
【０００８】
本発明に係る、通信ネットワークに接続され、情報を伝送する情報機器は、前記通信ネットワークを介して第１の他の情報機器から前記通信ネットワークにおける情報伝送を管理する伝送管理装置へ送られる、前記第１の他の情報機器が情報伝送に利用する通信チャネルの識別情報を取得する第１の識別情報取得手段と、前記通信ネットワークを介して第２の他の情報機器から前記伝送管理装置へ送られる、前記第２の他の情報機器が情報伝送に利用する通信チャネルの識別情報を取得する第２の識別情報取得手段と、前記第１の識別情報取得手段により取得された、前記第１の他の情報機器が情報伝送に利用する通信チャネルの識別情報と、前記第２の識別情報取得手段により取得された、前記第２の他の情報機器が情報伝送に利用する通信チャネルの識別情報とに基づいて、前記第１の他の情報機器から前記第２の他の情報機器への情報伝送に利用される通信チャネルを特定する通信チャネル特定手段と、前記情報機器が送信すべき所定の情報を、前記通信チャネル特定手段により特定された通信チャネルを利用して、前記通信ネットワークを介して前記第２の他の情報機器へ伝送する伝送手段とを有することを特徴とする。
【０００９】
この構成によれば、情報機器は、第１の他の情報機器から第２の他の情報機器への情報伝送に利用される通信チャネルを特定した上で、その通信チャネルを用いて自身が送信すべき所定の情報を第２の他の情報機器へ伝送させることができる。従って、情報機器が通信ネットワークに追加接続された場合に、通信ネットワーク全体の設計変更を行う必要はなく、簡易に通信ネットワークに追加接続された情報機器による情報伝送が可能となる。
【００１０】
同様の観点から、本発明の情報機器は、前記伝送手段が、前記通信ネットワークを伝送される情報を受信する伝送情報受信手段と、前記伝送情報受信手段により受信された情報のうち、前記通信チャネル特定手段により特定された通信チャネルを利用して伝送された情報を、前記所定の情報に置き換える伝送情報置換手段と、前記伝送情報置換手段により置き換えられた所定の情報を、前記通信チャネル特定手段により特定された通信チャネルを利用して、前記通信ネットワークを介して前記第２の他の情報機器へ送信する伝送情報送信手段とを有するようにしてもよい。
【００１１】
また、本発明の情報機器は、前記通信ネットワークが、時分割多元接続方式を採用するものであり、前記伝送情報置換手段が、前記伝送情報受信手段により受信された情報のうち、前記通信チャネル特定手段により特定された通信チャネルのタイミングで伝送された情報を、前記所定の情報に置き換え、前記伝送情報送信手段が、前記伝送情報置換手段により置き換えられた所定の情報を、前記通信チャネル特定手段により特定された通信チャネルのタイミングで、前記通信ネットワークを介して前記第２の他の情報機器へ送信するようにしてもよい。
【００１２】
この構成によれば、ＴＤＭＡ方式が採用される場合においても、追加接続された情報機器による適切な情報伝送が可能となる。
【００１３】
また、本発明の情報機器は、アナログ情報をデジタル情報に変換する変換手段を有し、前記伝送情報置換手段が、前記伝送情報受信手段により受信された情報のうち、前記通信チャネル特定手段により特定された通信チャネルを利用して伝送された情報を、前記変換手段により得られたデジタル情報に置き換えるようにしてもよい。
【００１４】
この構成によれば、追加接続された情報機器は、デジタル情報を適切に伝送することが可能となる。
【００１５】
また、本発明の情報機器は、前記伝送情報受信手段が、前記第１の他の情報機器において情報を送信する送信手段と接続され、前記伝送情報送信手段が、前記第２の他の情報機器において情報を受信する受信手段と接続されるようにしてもよい。
【００１６】
この構成によれば、追加接続された情報機器は、第１の他の情報機器から送信された情報が第２の他の情報機器によって受信される前に、確実に第１の他の情報機器から送信された情報を自身が送信すべき情報に置き換えて第２の情報機器へ送信することが可能となる。
【００１７】
また、本発明の情報機器は、前記第２の他の情報機器への情報伝送に通信チャネルを利用している第１の他の情報機器に関する情報を提示手段に提示させる提示制御手段と、利用者による操作部の操作に応じて前記提示手段に提示された情報に対応する第１の他の情報機器を選択する選択手段とを有し、前記通信チャネル特定手段が、前記選択手段により選択された第１の他の情報機器から前記第２の他の情報機器への情報伝送に利用される通信チャネルを特定するようにしてもよい。
【００１８】
この構成によれば、利用者の選択に応じて、追加接続された情報機器が送信すべき情報の伝送に利用する通信チャネルを特定することができる。
【００１９】
本発明に係る、通信ネットワークに接続され、情報を伝送する情報機器における情報伝送方法は、前記通信ネットワークを介して第１の他の情報機器から前記通信ネットワークにおける情報伝送を管理する伝送管理装置へ送られる、前記第１の他の情報機器が情報伝送に利用する通信チャネルの識別情報を取得する第１の識別情報取得ステップと、前記通信ネットワークを介して第２の他の情報機器から前記伝送管理装置へ送られる、前記第２の他の情報機器が情報伝送に利用する通信チャネルの識別情報を取得する第２の識別情報取得ステップと、前記第１の識別情報取得ステップにより取得された、前記第１の他の情報機器が情報伝送に利用する通信チャネルの識別情報と、前記第２の識別情報取得ステップにより取得された、前記第２の他の情報機器が情報伝送に利用する通信チャネルの識別情報とに基づいて、前記第１の他の情報機器から前記第２の他の情報機器への情報伝送に利用される通信チャネルを特定する通信チャネル特定ステップと、前記情報機器が送信すべき所定の情報を、前記通信チャネル特定ステップにより特定された通信チャネルを利用して、前記通信ネットワークを介して前記第２の他の情報機器へ伝送する伝送ステップとを有することを特徴とする。
【００２０】
また、本発明の情報伝送方法は、前記伝送ステップが、前記通信ネットワークを伝送される情報を受信する伝送情報受信ステップと、前記伝送情報受信ステップにより受信された情報のうち、前記通信チャネル特定ステップにより特定された通信チャネルを利用して伝送された情報を、前記所定の情報に置き換える伝送情報置換ステップと、前記伝送情報置換ステップにより置き換えられた所定の情報を、前記通信チャネル特定ステップにより特定された通信チャネルを利用して、前記通信ネットワークを介して前記第２の他の情報機器へ送信する伝送情報送信ステップとを有するようにしてもよい。
【００２１】
本発明に係る、通信ネットワークに接続され、情報を伝送する情報機器において実行される情報伝送プログラムは、前記通信ネットワークを介して第１の他の情報機器から前記通信ネットワークにおける情報伝送を管理する伝送管理装置へ送られる、前記第１の他の情報機器が情報伝送に利用する通信チャネルの識別情報を取得する第１の識別情報取得ステップと、前記通信ネットワークを介して第２の他の情報機器から前記伝送管理装置へ送られる、前記第２の他の情報機器が情報伝送に利用する通信チャネルの識別情報を取得する第２の識別情報取得ステップと、前記第１の識別情報取得ステップにより取得された、前記第１の他の情報機器が情報伝送に利用する通信チャネルの識別情報と、前記第２の識別情報取得ステップにより取得された、前記第２の他の情報機器が情報伝送に利用する通信チャネルの識別情報とに基づいて、前記第１の他の情報機器から前記第２の他の情報機器への情報伝送に利用される通信チャネルを特定する通信チャネル特定ステップと、前記情報機器が送信すべき所定の情報を、前記通信チャネル特定ステップにより特定された通信チャネルを利用して、前記通信ネットワークを介して前記第２の他の情報機器へ伝送する伝送ステップとを有することを特徴とする。
【００２２】
また、本発明の情報伝送プログラムは、前記伝送ステップが、前記通信ネットワークを伝送される情報を受信する伝送情報受信ステップと、前記伝送情報受信ステップにより受信された情報のうち、前記通信チャネル特定ステップにより特定された通信チャネルを利用して伝送された情報を、前記所定の情報に置き換える伝送情報置換ステップと、前記伝送情報置換ステップにより置き換えられた所定の情報を、前記通信チャネル特定ステップにより特定された通信チャネルを利用して、前記通信ネットワークを介して前記第２の他の情報機器へ送信する伝送情報送信ステップとを有するようにしてもよい。
【発明の効果】
【００２３】
本発明によれば、情報機器が通信ネットワークに追加接続された場合に、通信ネットワーク全体の設計変更を行う必要はなく、簡易に通信ネットワークに追加接続された情報機器による情報伝送が可能となる。
【発明を実施するための最良の形態】
【００２４】
以下、本発明の実施の形態について、図面を参照して具体的に説明する。図１は、本発明の実施形態に係る車載用伝送システムの構成を示す図である。図１に示す車載用伝送システムは、追加ソース機器１０、車両組込みヘッドユニット２０及び車両組込みアンプ（ＡＭＰ）３０を有し、これらが時分割多元接続（ＴＤＭＡ）方式が採用されるＭＯＳＴネットワークに接続されて構成される。この車載用伝送システムは、追加ソース機器１０がＭＯＳＴネットワーク５０に追加接続された場合に、設計変更を伴うことなく、当該追加ソース機器１０から車両組込みＡＭＰ３０へのデジタル音声データの伝送を可能とするものである。
【００２５】
追加ソース機器１０は、請求項１及び２における第３の情報機器と、請求項３乃至８における情報機器とに対応し、受信部１１及び送信部１２を有する。また、車両組込みＨＵ２０は、受信部２１と、第１及び第２の要求送信手段と第１の識別情報送信手段とに対応する送信部２２と、伝送管理装置に対応するＭＯＳＴコネクションマスタ２３と、請求項１及び２における第１の情報機器と請求項３乃至８における第１の他の情報機器とに対応するオーディオディスクプレイヤ２４及びラジオチューナ２５とを有する。また、車両組込みＡＭＰ３０は、請求項１及び２における第２の情報機器と、請求項３乃至８における第２の他の情報機器とに対応し、受信部３１と、第２の識別情報送信手段に対応する送信部３２とを有する。
【００２６】
図１に示す車載用伝送システムにおいて、追加ソース機器１０内の受信部１１は、車両組込みＨＵ２０内の送信部２２と接続され、追加ソース機器１０内の送信部１２は、車両組込みＡＭＰ３０内の受信部３１と接続される。また、車両組込みＡＭＰ３０内の送信部３２は、車両組込みＨＵ２０内の受信部２１と接続される。このような接続形態によって、ＭＯＳＴネットワーク５０は、環状の通信ネットワークを構成する。
【００２７】
図２は、追加ソース機器１０の構成を示す図である。図２に示す追加ソース機器１０は、伝送情報受信手段に対応する受信部１１と、伝送情報送信手段に対応する送信部１２と、第１及び第２の識別情報取得手段、通信チャネル特定手段、提示制御手段及び選択手段に対応し、追加ソース機器１０の全体を制御するＣＰＵ１３と、変換手段に対応するＡ／Ｄコンバータ１４と、伝送情報置換手段に対応するバスドライバ１５と、メモリ１６と、提示手段に対応するモニタ１７と、操作部１８とにより構成される。
【００２８】
次に、車載用伝送システムの動作を説明する。図３は、車両組込みＨＵ２０内のオーディオディスクプレイヤ２４に通信チャネルが割り当てられる際の動作を示す図である。図３において、ＭＯＳＴコネクションマスタ２３は、ＭＯＳＴネットワーク５０を介してオーディオディスクプレイヤ２４に対し、当該オーディオディスクプレイヤ２４が情報伝送に利用する通信チャネルの識別情報（チャネル番号）の要求であるアロケーション要求を送信する。一方、オーディオディスクプレイヤ２４は、このアロケーション要求を受信すると、ＭＯＳＴネットワーク５０を介してＭＯＳＴコネクションマスタ２３に対し、自身が利用する通信チャネルのチャネル番号を含んだアロケーション結果を返信する。
【００２９】
具体的には、車両組込みＨＵ２０内のＭＯＳＴコネクションマスタ２３は、通信チャネルの利用状態を含んだアロケーション要求を生成する。更に、ＭＯＳＴコネクションマスタ２３は、当該アロケーション要求に対して、送信元に予め定められた自身のアドレスを設定し、宛先に予め定められたオーディオディスクプレイヤ２４のアドレスを設定した上で、送信部２２へ出力する。送信部２２は、このアロケーション要求をＭＯＳＴネットワーク５０へ送信する。アロケーション要求は、ＭＯＳＴネットワーク５０を１周する。すなわち、車両組込みＨＵ２０内の送信部２２によって送信されたアロケーション要求は、追加ソース機器１０内の受信部１１及び送信部１２と、車両組込みＡＭＰ１０内の受信部３１及び送信部３２とを経由して、送信元である車両組込みＨＵ２０内の受信部２１によって受信される。受信部２１は、このアロケーション要求を宛先アドレスにて特定されるオーディオディスクプレイヤ２４へ出力する。
【００３０】
オーディオディスクプレイヤ２４は、アロケーション要求を入力すると、当該アロケーション要求に含まれる通信チャネルの利用状況に基づいて、未利用の通信チャネルを特定する。更に、オーディオディスクプレイヤ２４は、未利用の通信チャネルのうち、自身が情報伝送に利用する通信チャネルを選択し、アロケーション要求に対する返信として、その選択した通信チャネルのチャネル番号を含んだアロケーション結果を生成する。
【００３１】
図４は、アロケーション結果の一例を示す図である。このアロケーション結果は、ＦＢｌｏｃｋ−ＩＤ、Ｉｎｓｔ−ＩＤ、Ｓｏｕｒｃｅ−ＩＤ及び通信チャネルのチャネル番号（Ｃｈ）により構成される。ＦＢｌｏｃｋ−ＩＤは、通信チャネルを利用する情報機器の種別の識別情報であり、ここではオーディオディスクプレイヤ２４の種別の識別情報である「３１」が設定される。Ｉｎｓｔ−ＩＤは、例えば、オーディオディスクプレイヤが複数存在する場合等、同一種別の情報機器が複数存在する場合に個々の情報機器を区別することができるようにするための識別情報であり、ここでは、１つのオーディオディスクプレイヤ２４に対応する「０１」が設定される。Ｓｏｕｒｃｅ−ＩＤは、情報機器が対応する通信チャネルを利用して伝送する情報の入力元の識別情報であり、伝送情報がオーディオディスクプレイヤ２４によってＣＤ（図示せず）から読み出されるデジタル音声データである場合には、ＣＤの識別情報である「０２」が設定される。
【００３２】
ＭＯＳＴネットワーク５０においては、これらＦＢｌｏｃｋ−ＩＤ、Ｉｎｓｔ−ＩＤ及びＳｏｕｒｃｅ−ＩＤによって、通信チャネルを利用する情報機器が一意に特定される。すなわち、オーディオディスクプレイヤ２４は、ハードウェアとしては単体であるが、ＭＯＳＴネットワーク５０においては、ＣＤの再生を行うオーディオディスクプレイヤ２４と、ＤＶＤの再生を行うオーディオディスクプレイヤ２４とは、異なる情報機器として扱われることになる。
【００３３】
チャネル番号（ｃｈ）は、ＦＢｌｏｃｋ−ＩＤ、Ｉｎｓｔ−ＩＤ及びＳｏｕｒｃｅ−ＩＤによって特定される情報機器によって利用される通信チャネルのチャネル番号、換言すれば、当該情報機器が選択した通信チャネルのチャネル番号である。
【００３４】
オーディオディスクプレイヤ２４は、生成したアロケーション結果に対して、送信元に予め定められた自身のアドレスを設定し、宛先にアロケーション要求の送信元であるＭＯＳＴコネクションマスタ２３のアドレスを設定した上で、送信部２２へ出力する。送信部２２は、このアロケーション結果をＭＯＳＴネットワーク５０へ送信する。アロケーション結果は、ＭＯＳＴネットワーク５０を１周する。すなわち、車両組込みＨＵ２０内の送信部２２によって送信されたアロケーション結果は、追加ソース機器１０内の受信部１１及び送信部１２と、車両組込みＡＭＰ１０内の受信部３１及び送信部３２とを経由して、送信元である車両組込みＨＵ２０内の受信部２１によって受信される。受信部２１は、このアロケーション結果を宛先のアドレスにて特定されるＭＯＳＴコネクションマスタ２３へ出力する。ＭＯＳＴコネクションマスタ２３は、入力したアロケーション結果に基づいて、オーディオディスクプレイヤ２４が選択した通信チャネルを認識し、その通信チャネルをオーディオディスクプレイヤ２４に割り当てる。
【００３５】
図５は、車両組込みＡＭＰ３０に通信チャネルが割り当てられる際の動作を示す図である。図５において、ＭＯＳＴコネクションマスタ２３は、ＭＯＳＴネットワーク５０を介して車両組込みＡＭＰ３０に対し、当該車両組込みＡＭＰ３０が情報伝送に利用する通信チャネルの識別情報（チャネル番号）の要求であるコネクション要求を送信する。一方、車両組込みＡＭＰ３０は、このコネクション要求を受信すると、ＭＯＳＴネットワーク５０を介してＭＯＳＴコネクションマスタ２３に対し、自身が利用する通信チャネルのチャネル番号を含んだコネクション結果を返信する。
【００３６】
具体的には、車両組込みＨＵ２０内のＭＯＳＴコネクションマスタ２３は、アロケーション結果に含まれるチャネル番号、換言すれば、オーディオディスクプレイヤ２４に割り当てられた通信チャネルのチャネル番号を含んだコネクション要求を生成する。更に、ＭＯＳＴコネクションマスタ２３は、当該コネクション要求に対して、送信元に自身を設定し、宛先に予め定められた車両組込みＡＭＰ３０のアドレスを設定した上で、送信部２２へ出力する。送信部２２は、このコネクション要求をＭＯＳＴネットワーク５０へ送信する。コネクション要求は、ＭＯＳＴネットワーク５０を１周する。すなわち、車両組込みＨＵ２０内の送信部２２によって送信されたコネクション要求は、追加ソース機器１０内の受信部１１及び送信部１２を経由して、車両組込みＡＭＰ３０内の受信部３１によって受信され、更に、車両組込みＡＭＰ３０内の送信部３２を経由して、送信元である車両組込みＨＵ２０内の受信部２１によって受信される。
【００３７】
車両組込みＡＭＰ３０は、受信部３１がコネクション要求を受信すると、当該コネクション要求に含まれるチャネル番号に対応する通信チャネルが割り当てられることを認識し、コネクション要求に対する返信として、その通信チャネルのチャネル番号を含んだコネクション結果を生成する。
【００３８】
図６は、コネクション結果の一例を示す図である。このコネクション結果は、ＦＢｌｏｃｋ−ＩＤ、Ｓｏｕｒｃｅ−ＩＤ及び通信チャネルのチャネル番号（Ｃｈ）により構成される。ＦＢｌｏｃｋ−ＩＤは、通信チャネルを利用する情報機器の種別の識別情報であり、ここでは車両組込みＡＭＰ３０の種別の識別情報である「２２」が設定される。Ｓｏｕｒｃｅ−ＩＤは、情報機器が対応する通信チャネルを利用して伝送する情報の出力先の識別情報であり、伝送情報が車両組込みＡＭＰ３０に接続されるスピーカ（図示せず）から出力される音声に対応するデジタル音声データである場合には、スピーカの識別情報である「０１」が設定される。
【００３９】
ＭＯＳＴネットワーク５０においては、これらＦＢｌｏｃｋ−ＩＤ及びＳｏｕｒｃｅ−ＩＤによって、通信チャネルを利用する情報機器が一意に特定される。すなわち、車両組込みＡＭＰ３０は、ハードウェアとしては単体であるが、ＭＯＳＴネットワーク５０においては、スピーカに音声を出力する車両組込みＡＭＰ３０と、ヘッドホンに音声を出力する車両組込みＡＭＰ３０とは、異なる情報機器として扱われることになる。
【００４０】
チャネル番号（ｃｈ）は、ＦＢｌｏｃｋ−ＩＤ及びＳｏｕｒｃｅ−ＩＤによって特定される情報機器によって利用される通信チャネルのチャネル番号である。
【００４１】
車両組込みＡＭＰ３０は、生成したコネクション結果に対して、送信元に予め定められた自身のアドレスを設定し、宛先にコネクション要求の送信元であるＭＯＳＴコネクションマスタ２３のアドレスを設定する。車両組込みＡＭＰ３０内の送信部３２は、このコネクション結果をＭＯＳＴネットワーク５０へ送信する。コネクション結果は、ＭＯＳＴネットワーク５０を１周する。すなわち、車両組込みＡＭＰ３０内の送信部３２によって送信されたコネクション結果は、車両組込みＨＵ２０内の受信部２１によって受信され、更に、車両組込みＨＵ２０内の送信部２２と、追加ソース機器１０内の受信部１１及び送信部１２を経由して、送信元である車両組込みＡＭＰ３０内の受信部３１によって受信される。車両組込みＨＵ２０内の受信部２１は、このコネクション結果を宛先のアドレスにて特定されるＭＯＳＴコネクションマスタ２３へ出力する。ＭＯＳＴコネクションマスタ２３は、入力したコネクション結果に含まれるチャネル番号の通信チャネルを車両組込みＡＭＰ３０に割り当てる。
【００４２】
以上の動作によって、オーディオディスクプレイヤ２４と車両組込みＡＭＰ３０との間に通信チャネルが設定され、当該通信チャネルを利用して、送信側機器であるオーディオディスクプレイヤ２４から車両組込みＡＭＰ３０へのデジタル音声データの伝送が可能となる。車両組込みＨＵ２０内のラジオチューナ２５と車両組込みＡＭＰ３０との間の通信チャネルの設定も、同様の動作によって行われ、当該通信チャネルを利用して、送信側機器であるラジオチューナ２５から車両組込みＡＭＰ３０へのデジタル音声データの伝送が可能となる。
【００４３】
追加ソース機器１０は、上述したアロケーション要求及びアロケーション結果と、コネクション要求及びコネクション結果がＭＯＳＴネットワーク５０を伝送される際に、これらに基づいて、自身が情報伝送に利用する通信チャネルを特定し、その通信チャネルを利用して情報伝送を行う。
【００４４】
図７は、追加ソース機器１０のアロケーション結果取得時の動作を示すフローチャートである。追加ソース機器１０内の受信部１１は、ＭＯＳＴネットワーク５０を伝送される情報を受信し、バスドライバ１５へ出力する。バスドライバ１５は、入力した情報をＣＰＵ１３へ出力する。更に、バスドライバ１５は、入力した情報の宛先のアドレスを特定し、当該宛先のアドレスが予め定められた追加ソース機器１０以外のアドレスである場合には、当該情報を送信部１２へ出力し、当該送信部１２は、入力した情報をＭＯＳＴネットワーク５０へ送信する。
【００４５】
このような伝送制御が行われている状態において、ＣＰＵ１３は、受信部１１によって受信された情報（受信情報）を、バスドライバ１５を介して入力すると、当該受信情報がＭＯＳＴコネクションマスタ２３から送信側機器であるオーディオディスクプレイヤ２４やラジオチューナ２５へのアロケーション要求であるか否かを判定する（Ｓ１０１）。具体的には、ＣＰＵ１３は、受信情報がアロケーション要求の構成を有し、且つ、当該アロケーション要求の送信元のアドレスが予め定められたＭＯＳＴコネクションマスタ２３のアドレスであり、宛先のアドレスが予め定められた送信側機器であるオーディオディスクプレイヤ２４やラジオチューナ２５のアドレスである場合には、当該受信情報がＭＯＳＴコネクションマスタ２３から送信側機器であるオーディオディスクプレイヤ２４やラジオチューナ２５へのアロケーション要求であると判定する。
【００４６】
受信情報がＭＯＳＴコネクションマスタ２３から送信側機器であるオーディオディスクプレイヤ２４やラジオチューナ２５へのアロケーション要求である場合、ＣＰＵ１３は、当該アロケーション要求の返信である、送信側機器からＭＯＳＴコネクションマスタ２３へのアロケーション結果の受信待ちとなる（Ｓ１０２）。
【００４７】
そして、ＣＰＵ１３は、受信部１１によって受信された受信情報を、バスドライバ１５を介して入力すると、当該受信情報が、送信側機器からＭＯＳＴコネクションマスタ２３へのアロケーション結果であるか否かを判定する（Ｓ１０３）。具体的には、ＣＰＵ１３は、受信情報が図４に示すアロケーション結果の構成を有し、且つ、当該アロケーション結果の送信元のアドレスが予め定められた送信側機器であるオーディオディスクプレイヤ２４やラジオチューナ２５のアドレスであり、宛先のアドレスが予め定められたＭＯＳＴコネクションマスタ２３のアドレスである場合には、当該受信情報が送信側機器であるオーディオディスクプレイヤ２４やラジオチューナ２５からＭＯＳＴコネクションマスタ２３へのアロケーション結果であると判定する。
【００４８】
受信情報が送信側機器であるオーディオディスクプレイヤ２４やラジオチューナ２５からＭＯＳＴコネクションマスタ２３へのアロケーション結果である場合、ＣＰＵ１３は、当該アロケーション結果をメモリ１６に保持させる（Ｓ１０４）。
【００４９】
図８は、追加ソース機器１０のコネクション結果取得時の動作を示すフローチャートである。追加ソース機器１０内のＣＰＵ１３は、受信部１１によって受信された受信情報を、バスドライバ１５を介して入力すると、当該受信情報がＭＯＳＴコネクションマスタ２３から車両組込みＡＭＰ３０へのコネクション要求であるか否かを判定する（Ｓ２０１）。具体的には、ＣＰＵ１３は、受信情報がコネクション要求の構成を有し、且つ、当該コネクション要求の送信元のアドレスが予め定められたＭＯＳＴコネクションマスタ２３のアドレスであり、宛先のアドレスが予め定められた車両組込みＡＭＰ３０のアドレスである場合には、当該受信情報がＭＯＳＴコネクションマスタ２３から車両組込みＡＭＰ３０へのコネクション要求であると判定する。
【００５０】
受信情報がＭＯＳＴコネクションマスタ２３から車両組込みＡＭＰ３０へのコネクション要求である場合、ＣＰＵ１３は、当該コネクション要求に対する返信である、車両組込みＡＭＰ３０からＭＯＳＴコネクションマスタ２３へのコネクション結果の受信待ちとなる（Ｓ２０２）。
【００５１】
そして、ＣＰＵ１３は、受信部１１によって受信された受信情報を、バスドライバ１５を介して入力すると、当該受信情報が、車両組込みＡＭＰ３０からＭＯＳＴコネクションマスタ２３へのコネクション結果であるか否かを判定する（Ｓ２０３）。具体的には、ＣＰＵ１３は、受信情報が図６に示すコネクション結果の構成を有し、且つ、当該コネクション結果の送信元のアドレスが予め定められた車両組込みＡＭＰ３０のアドレスであり、宛先のアドレスが予め定められたＭＯＳＴコネクションマスタ２３のアドレスである場合には、当該受信情報が車両組込みＡＭＰ３０からＭＯＳＴコネクションマスタ２３へのコネクション結果であると判定する。
【００５２】
受信情報が車両組込みＡＭＰ３０からＭＯＳＴコネクションマスタ２３へのコネクション結果である場合、ＣＰＵ１３は、当該コネクション結果をメモリ１６に保持させる（Ｓ２０４）。
【００５３】
追加ソース機器１０は、このようにしてアロケーション結果と、コネクション結果とを取得すると、次に、送信用機器であるオーディオディスクプレイヤ２４やラジオチューナ２５から車両組込みＡＭＰ３０へのデジタル音声データの伝送に利用される通信チャネルを特定し、当該通信チャネルを利用して、受信が送信すべきデジタル音声データを車両組込みＡＭＰ３０へ伝送する。
【００５４】
図９は、追加ソース機器１０のデジタル音声データ伝送時の動作を示すフローチャートである。追加ソース機器１０内のＣＰＵ１３は、メモリ１６に保持されたアロケーション結果を読み出す。読み出されたアロケーション結果に含まれるＦＢｌｏｃｋ−ＩＤ、Ｉｎｓｔ−ＩＤ及びＳｏｕｒｃｅ−ＩＤは、対応する通信チャネルを利用している送信側機器を一意に特定するものである。ＣＰＵ１３は、このアロケーション結果に含まれるＦＢｌｏｃｋ−ＩＤ、Ｉｎｓｔ−ＩＤ及びＳｏｕｒｃｅ−ＩＤに基づいて、対応する通信チャネルを利用している送信側機器を認識し、その送信側機器の関連情報をモニタ１７に表示させる（Ｓ３０１）。図１０は、通信チャネルを利用している送信側機器の関連情報の表示例であり、送信側機器の名称が表示されている。
【００５５】
再び、図９に戻って説明する。ＣＰＵ１３は、利用者によって操作部１８が操作され、モニタ１７に関連情報が表示された送信側機器のいずれかが選択されたか否かを判定する（Ｓ３０２）。具体的には、利用者は、操作部１８に設けられた上下左右のキー（図示せず）を操作することにより、モニタ１７に表示された送信側機器の関連情報にカーソルを合わせ、更に、操作部１８に設けられた確定ボタン（図示せず）を押下する。ＣＰＵ１３は、このような操作がなされた場合に、関連情報に対応する送信側機器が選択されたと判定する。
【００５６】
送信側機器が選択された場合、ＣＰＵ１３は、その選択された送信側機器（選択送信側機器）に対応するＦＢｌｏｃｋ−ＩＤ、Ｉｎｓｔ−ＩＤ及びＳｏｕｒｃｅ−ＩＤを有するアロケーション結果と、当該アロケーション結果内のチャネル番号と同一のチャネル番号を含むコネクション結果とをメモリ１６から読み出す。更に、ＣＰＵ１３は、これら読み出したアロケーション結果及びアロケーション結果の双方に含まれる同一のチャネル番号を有する通信チャネルを、選択送信側機器から車両組込みＡＭＰ３０へのデジタル音声データの伝送に利用される通信チャネルとして特定し、更に、その通信チャネルのタイミングを特定する（Ｓ３０３）。
【００５７】
次に、ＣＰＵ１３は、特定した通信チャネルのタイミングが到来したか否かを判定する（Ｓ３０４）。そして、特定した通信チャネルのタイミングが到来した場合、ＣＰＵ１３は、バスドライバ１５に対して、伝送情報の置き換えを指示する。バスドライバ１５は、Ａ／Ｄコンバータ１４がアナログ音声データをデジタル変換することによって得られたデジタル音声データを、自身が送信すべきデジタル音声データとして随時入力している。そして、バスドライバ１５は、ＣＰＵ１３から伝送情報の置き換えが指示された場合、そのタイミング、換言すれば、ＣＰＵ１３によって特定された通信チャネルのタイミングで受信部１１によって受信された受信情報のうち、選択送信側機器からのデジタル音声データを、自身が送信すべきデジタル音声データに置き換える（Ｓ３０５）。
【００５８】
図１１は、伝送情報の置き換えの一例を示す図である。図１１（ａ）に示すように、伝送フレームは、６４個の通信チャネルによって構成されている。これら通信チャネルのうち、図１１（ｂ）に示すように、送信側機器であるオーディオディスクプレイヤ２４がＣＤの再生する際に、チャネル番号Ｃｈ１乃至Ｃｈ４の通信チャネルが利用されて車両組込みＡＭＰ３０に対して、デジタル音声データ（オーディオディスクプレイヤ・ＣＤデジタル音声データ）が伝送される場合を考える。この場合、図１１（ｃ）に示すように、バスドライバ１５は、そのチャネル番号Ｃｈ１乃至Ｃｈ４の通信チャネルのタイミングで、これら通信チャネルを利用して伝送されるオーディオディスクプレイヤ・ＣＤデジタル音声データを、自身が送信すべきデジタル音声データ（追加ソース機器デジタル音声データ）に置き換える。
【００５９】
再び、図９に戻って説明する。バスドライバ１５は、置き換えたデジタル音声データである自身が送信すべきデジタル音声データを、送信部１２へ出力する。送信部１２は、入力した自身が送信すべきデジタル音声データを車両組込みＡＭＰ３０へ送信する（Ｓ３０６）。
【００６０】
上述したＳ３０４乃至Ｓ３０６において、ＣＰＵ１３が特定した通信チャネルのタイミングが到来したと判定してから、バスドライバ１５が１つの通信チャネルを利用して伝送されるデジタル音声データを自身が伝送すべきデジタル音声データに置き換えて、更に送信部１２が送信するまでの動作は、その１つの通信チャネルに対応する時間内に行われる。従って、送信部１２は、ＣＰＵ１３が特定した通信チャネルのタイミングで、換言すれば、ＣＰＵ１３が特定した通信チャネルを利用して、自身が送信すべきデジタル音声データを車両組込みＡＭＰ３０へ送信することができる。
【００６１】
車両組込みＡＭＰ３０は、受信部３１が、この追加ソース機器１０からのデジタル音声データを受信し、増幅処理を行って対応する音声をスピーカ等へ出力する。
【００６２】
このように、本実施形態の伝送システムでは、追加ソース機器１０は、送信側機器であるオーディオディスクプレイヤ２４やラジオチューナ２５からＭＯＳＴコネクションマスタ２３へ送られるアロケーション結果と、車両組込みＡＭＰ３０からＭＯＳＴコネクションマスタ２３へ送られるコネクション結果とを取得し、これらに基づいて、送信側機器であるオーディオディスクプレイヤ２４やラジオチューナ２５から車両組込みＡＭＰ３０へのデジタル音声データの伝送に利用される通信チャネルを特定した上で、その通信チャネルを用いて自身が送信すべきデジタル音声信号を車両組込みＡＭＰ３０へ伝送させる。従って、追加ソース機器１０がＭＯＳＴネットワーク５０に追加接続された場合に、ＭＯＳＴネットワーク５０全体の設計変更を行わなくても、簡易にその追加ソース機器１０によるデジタル音声データの伝送が可能となる。
【００６３】
なお、上述した実施形態では、追加ソース機器１０は、選択送信側機器から車両組込みＡＭＰ３０へのデジタル音声データを自身が送信すべきデジタル音声データに置き換えたが、選択送信側機器と車両組込みＡＭＰ３０との間に通信チャネルのみが割り当てられ、その通信チャネルを利用して伝送されるデジタル音声データが存在しない場合には、その通信チャネルをそのまま利用して、自身が送信すべき音声データを伝送させるようにしてもよい。
【００６４】
また、上述した実施形態では、ＭＯＳＴコネクションマスタ２３は、車両組込みＨＵ２０に内蔵されているが、外部接続されていてもよく、更には、ＭＯＳＴネットワーク５０に直接に接続されていてもよい。
【産業上の利用可能性】
【００６５】
以上、説明したように、本発明に係る伝送システム、情報機器、情報伝送方法及び情報伝送プログラムは、簡易に通信ネットワークに追加接続された情報機器による情報伝送を可能とし、伝送システム等として有用である。
【図面の簡単な説明】
【００６６】
【図１】伝送システムの構成を示す図である。
【図２】追加ソース機器の構成を示す図である。
【図３】車両組込みＨＵ内のオーディオディスクプレイヤに通信チャネルが割り当てられる際の動作を示す図である。
【図４】アロケーション結果の構成を示す図である。
【図５】車両組込みＡＭＰに通信チャネルが割り当てられる際の動作を示す図である。
【図６】コネクション結果の構成を示す図である。
【図７】追加ソース機器によるアロケーション結果取得の動作を示すフローチャートである。
【図８】追加ソース機器によるコネクション結果取得の動作を示すフローチャートである。
【図９】追加ソース機器によるデジタル音声データ伝送時の動作を示すフローチャートである。
【図１０】通信チャネルを利用している送信側機器の関連情報の表示例を示す図である。
【図１１】伝送情報の置き換えの一例を示す図である。
【符号の説明】
【００６７】
１０  追加ソース機器
１１、２１、３１  受信部
１２、２２、３２  送信部
１３  ＣＰＵ
１４  Ａ／Ｄコンバータ
１５  バスドライバ
１６  メモリ
１７  モニタ
１８  操作部
２０  車両組込みＨＵ
２３  ＭＯＳＴコネクションマスタ
２４  オーディオディスクプレイヤ
２５  ラジオチューナ
【図１】
2008182407.tif 000003
【図２】
2008182407.tif 000004
【図３】
2008182407.tif 000005
【図４】
2008182407.tif 000006
【図５】
2008182407.tif 000007
【図６】
2008182407.tif 000008
【図７】
2008182407.tif 000009
【図８】
2008182407.tif 000010
【図９】
2008182407.tif 000011
【図１０】
2008182407.tif 000012
【図１１】
2008182407.tif 000013